(57)【要約】【課題】  チューブの内容物の逆流やチューブへの空気の流入を防止し、かつ内容物を常に早く最後まで絞り出すことや内容物残量の視認が容易にできるチューブ絞り器を提供する。【解決手段】  固定軸（１）と絞り部材（３）を間隔をあけて略平行になるように配設し、固定軸（１）を支軸として回転できる回転ローラ（２）を設け、固定軸（１）と絞り部材（３）の端部を保持部材（４）で固設する。【選択図】  図１
2004161380.tif 000002
【特許請求の範囲】
【請求項１】
固定軸（１）と絞り部材（３）を間隔をあけて略平行になるように配設し、固定軸（１）を支軸として回転できる回転ローラ（２）を設け、固定軸（１）と絞り部材（３）の端部を保持部材（４）で固設したことを特徴とするチューブ絞り器。
【請求項２】
絞り部材（３）から固定軸（１）に向かう方向と略直交する方向に、前記絞り部材（３）と対向配置されたガイド（５）を設けたことを特徴とする請求項１のチューブ絞り器。
【請求項３】
固定軸（１）と、該固定軸（１）からその直径方向へ伸びる延長線と対向配置されたガイド（５）を間隔をあけて置き、固定軸（１）を支軸として回転できる回転ローラ（２）を設け、固定軸（１）とガイド（５）の端部を保持部材（４）で固設したことを特徴とするチューブ絞り器。
【請求項４】
固定軸（１）と対向部材（１０）を間隔をあけて略平行になるように配設し、固定軸（１）を支軸として回転できる回転ローラ（２）を設け、固定軸（１）と対向部材（１０）の端部を保持部材（４）で固設したことを特徴とするチューブ絞り器。
【請求項５】
対向部材（１０）から固定軸（１）に向かう方向と交差する方向に、前記回転ローラ（２）と対向配置されたガイド（５）を設けたことを特徴とする請求項４のチューブ絞り器。
【発明の詳細な説明】
【技術分野】
【０００１】  本発明は、食品や練り歯磨き等に使用されるチューブの内容物を絞り出す器具に関するものである。
【背景技術】
【０００２】  従来より、チューブを手で持ち指で内容物を絞り出しているが、該内容物が逆流したり、内容物が減少してくると開口部より空気も入ってしまい、それ以降の使用時にその逆流分や空気も絞り出さなければならず、面倒であり、内容物残量の視認がしにくい。従来の文献としては以下のものがある。
【特許文献１】  特開平１１−２０８６８９
【特許文献２】  特開平１０−２９６４５
上記文献に記載されている実施方法として、いずれも、軸体へ溝をつけ、その溝へチューブの尾端を嵌入させる方法をとっているが、取り扱いが面倒である。
【発明が解決しようとする課題】
【０００３】  本発明は、前述の内容物の逆流や空気の流入を防止し、かつ内容物を常に早く最後まで絞り出すことや内容物残量の視認が容易にできることや取り扱いが容易であることを目的としたものである。
【課題を解決するための手段】
【０００４】  上記目的を達成するために、本発明のチューブ絞り器においては、固定軸と絞り部材を間隔をあけて略平行になるように配設する。そして、固定軸を支軸として回転できる回転ローラを設ける。そして、前記固定軸と絞り部材３の端部を保持部材で固設したものである。
【０００５】  また、前記チューブ絞り器において、絞り部材から固定軸に向かう方向に略直角であり絞り部材と対向する位置へ、ガイドを突設させることもできる。
【０００６】  また、固定軸と、該固定軸の直径方向の延長線と対向配置されたガイドを間隔をあけて置く。そして、前記固定軸を支軸として回転できる回転ローラを設け、固定軸とガイドの端部を保持部材で固設することもできる。
【０００７】  上記のように構成されたチューブ絞り器は、まず、塑性をもった素材でできたチューブの場合、チューブ尾端部の充満部が絞られなくなることによりチューブが回転ローラに巻きつくことができる長さをもったときから使用する。その使用方法は、まず、絞り部材から見て固定軸が左になるように、チューブ絞り器を左手で持ち、右手の指でチューブの尾端部を持つ。そして、チューブの尾端部を回転ローラへ当接させる。そして、左手の指と指の間にチューブと回転ローラを挟みながら指へ回転ローラがチューブを送る方向へ力をかける。すると、チューブは絞りながら送られ、その絞られた長さが回転ローラの円周長の半分以上となったら、その絞られた部分を回転ローラの円周へ指を使い巻きつける。以降、回転ローラ部では指と指の間でチューブ−回転ローラーチューブの順でチューブと回転ローラを挟みながら指へ回転ローラがチューブを送る方向へ力をかける。また、絞り部材部ではチューブ−絞り部材−チューブの順でチューブと絞り部材とを指に挟んで力をかけ絞っていくと、チューブの内容物は絞り出されていく。塑性材ででき、略Ｃ字に曲げられたチューブは、その略Ｃ字内にあるチューブ絞り器を保持する。
【０００８】  また、弾性をもった素材でできたチューブの場合、上述の方法でチューブ絞り器を使用しようとしても、回転ローラ部で略Ｃ字に曲げられたチューブは、該チューブの弾性により略直線に戻ろうとし、チューブ絞り器はチューブを保持することができない。上述のチューブ絞り器にチューブを保持させるには、絞り部材から固定軸へ向かう方向に略直角である位置へ前記絞り部材と対向配置されたガイドを突設させる。該ガイドにより略Ｃ字に曲げられたチューブは略直線に戻ろうとしてもガイドに阻まれ、該ガイドとチューブの間に発生する摩擦によりチューブ絞り器内に保持される。
【０００９】  また、上述のように構成されたチューブ絞り器において、チューブを回転ローラ部で常に略Ｃ字に曲げようとする力は、回転ローラ部に略当接するチューブの一部を略密着状態とするように働く。
【００１０】  また、ニガシ片は、絞り終えたチューブの一部分を、チューブ絞り器へ入ってくるチューブの一部分との距離を引き離すことにより、チューブの開口部で内容物を絞り出すとき、該内容物を受けるものに干渉するのを防止する。
【発明の効果】
【００１１】  本発明は以上説明したように構成されているので、以下に記載されるような効果を奏する。
連続して、絞り部材部で絞り、回転ローラ部に位置するチューブの一部を略密着状態とすることができることで、チューブに充満した内容物部をつくることができ、内容物の逆流や空気の流入を防止し、かつ内容物を常に早く最後まで絞り出すことや内容物残量の視認が容易にできる。
【００１２】  本発明は、部品数が少なく単純構造であり、本発明を卓上置きとしてそのまま使用したり、フック掛けや壁掛けにして使用することが容易にできる。
【発明を実施するための最良の形態】
【００１３】  発明の実施の形態を実施例にもとづき図面を参照して説明する。
図１に示される実施例では、固定軸１と絞り部材３を間隔をあけて略平行になるように配設する。前記固定軸１は円柱状でありチューブの巾より若干長めにしてある。そして、固定軸１を支軸として回転できる回転ローラ２を設ける。前記固定軸１と円筒状の回転ローラ２とは固定軸１の外周と回転ローラ２の内周とで隙間ばめされ、回転ローラ２は固定軸１を軸心として回転できる。そして、固定軸１と絞り部材３の端部を保持部材４で固設する。また、図示されていないが、固定軸１の保持部材４の無い方の軸端部には回転ローラ２の抜け止め防止用のリングを取り付けると良い。また、前記絞り部材３は四角柱できている。該絞り部材３のチューブ７が走行する二面間の寸法は回転ローラ２の直径より若干短くしている。そのように若干短くすることにより、回転ローラ２と絞り部材３とに渡る部位で、チューブ７を指で挟み力をいれると、回転ローラ２部にあるチューブ７の略Ｃ字状部は引っ張られながら絞り部材３まで落ちこむことで、チューブ７を回転ローラ２へより強く押し付け、巻きつける力となり、チューブ７の略Ｃ字状部の密着度を増す。また、前記保持部材４は薄板でできている。該保持部材４は回転ローラ２部ではその回転ローラ２の外径へ２ｍｍの縁を、絞り部材３部ではチューブ７が走行する二面へそれぞれ２ｍｍの縁を突出させた大きさとなっている。それらの縁は、チューブ７がチューブ絞り器よりはずれるのを防止する。【００１４】  図２に示される実施例では、絞り部材３から固定軸１に向かう方向と略直交する方向に、前記絞り部材３と対向配置されたガイド５を図１に示される実施例に追加している。固定軸１と絞り部材３の端部は保持部材４で固設されている。ガイド５は薄板でできている。また、ガイド５は保持部材４より約１０ｍｍ突出させている。図２のチューブ７は弾性をもった素材でできたチューブを示し、該チューブ７は絞り部材３の一面と一方のガイド５の間−回転ローラ２−絞り部材３の他面と他方のガイド５の間の経路で送られ、略Ｃ字に曲げられたチューブは、回転ローラ２とガイド５とで保持される。【００１５】  図３に示される実施例では、ニガシ片６を、図１に示される実施例に追加している。ニガシ片６は、薄板でできている。また、ニガシ片６は、絞り部材３と長手方向の長さを同じにしてある。また、ニガシ片６は本３図のように、絞り部材３が固定軸１の右側に見える状態に置いたとき絞り部材３を基点に右上方例えば略４５度方向へ伸び，例えば絞り部材３の右上稜線から約１０ｍｍ突設している。塑性をもった素材でできたチューブは、図示されるように、絞り部材３の一面−回転ローラ２−絞り部材３の他面−ニガシ片６の一面の経路で送られ、略Ｃ字に曲げられたチューブは、チューブ絞り器を保持する。【００１６】  図４に示される実施例では、固定軸１と、該固定軸１からその直径方向へ伸びる延長線と対向配置されたガイド５を間隔をあけて置く。ガイド５は薄板でできている。そして、固定軸１を支軸として回転できる回転ローラ２を設ける。前記固定軸１は円柱状でありチューブの巾より若干長めにしてある。そして、固定軸１とガイド５の端部を保持部材４で固設する。ガイド５は保持部材４より固定軸１の軸線方向に例えば約５ｍｍ突設している。弾性をもった素材でできたチューブは、図示されるように、一方のガイド５の一面−回転ローラ２−他方のガイド５の一面の経路で送られ、略Ｃ字に曲げられたチューブは、チューブ絞り器を保持する。【００１７】  図５に示される実施例では、固定軸１と絞り部材３を間隔をあけて略平行になるように配設する。前記固定軸１は円柱状でありチューブの巾より若干長めにしてある。そして、固定軸１を支軸として回転できる回転ローラ２を設ける。該回転ローラ２の両端部の外径は中央より小さくしている。そのように小さくすることでチューブ７の絞られたサイド部の膨らみが回転ローラ２へ当接するのをさけ、安定した略平坦面であるチューブ７の中央部のみを回転ローラ２へ当接させることにより、より滑らかに、回転ローラ２を回転できるようにしている。また、前記固定軸１と円筒状の回転ローラ２とは固定軸１の外周と回転ローラ２の内周とで隙間ばめされ、回転ローラ２は固定軸１を軸心として回転できる。そして、固定軸１と絞り部材３の端部を保持部材４で固設する。前記固定軸１と絞り部材３はそれぞれの両端部を保持部材４で固設している。また、固定軸１は、該固定軸１の一部を途中で切り取られている。そのように、固定軸１の一部を途中で切り取ることで固定軸１と回転ローラ２との挿入が容易にできるようにしている。また、そのように両端部を保持部材４で固設することにより、チューブ絞り器は強度を増している。そして、絞り部材３から固定軸１に向かう方向と略直交する方向に、前記絞り部材３と対向配置されたガイド５を設ける。本実施例では、絞り部材３の一側には、ガイド５をそれぞれの保持部材４より固定軸１の軸線方向に（例えば約１０ｍｍ）突設させている。また、絞り部材３の他側では、ガイド５を一方の保持部材４より（例えば約１０ｍｍ）突設させている。また、前記絞り部材３は四角柱できている。また、前記絞り部材３のチューブ７が走行する二面間の寸法は回転ローラ２の直径より若干短くしている。その若干短くしている事由・効果は前述されているのと同様である。つぎに、本実施例の使用方法を図５（１）から図５（４）で手順をおい説明する。まず図５（１）を参照にして、矢印方向より絞り部材３とガイド５の間へチューブ７を差し込む。つぎに、図５（２）を参照にして、絞り部材３部では、上下矢印方向に指に力を加えて絞り、回転ローラ２部では水平方向に偶力をかけて内容物が残らないようにしながらチューブ７を送っていく。つぎに、図５（３）を参照にして、絞られたチューブ７の長さが回転ローラ２の半円周より長くなったら、チューブ７を曲げ、裏側の絞り部材３とガイド５の間へチューブ７を矢印方向より差し込む。また、チューブ７の内容物がなくなり、チューブ７をチューブ絞り器よりはずすときは、前記絞り部材３とガイド５の間のチューブ７を矢印方向と逆方向にはずす。つぎに、図５（４）を参照にして、前述と同様に絞り、内容物が少なくなったら、回転ローラ２部を回転させ送っていく。そのようにチューブ７は送られながら、略Ｃ字に曲げられたチューブは、回転ローラ２とガイド５とでチューブ絞り器に保持される。【００１８】  図６に示される実施例では、図４に示される実施例��ガイド５をガイド軸８とガイドローラ９で構成させている。前記ガイド軸８は円柱にしている。そして、前記ガイド軸８を支軸として回転できるガイドローラ９を設ける。該ガイドローラ９の長さは、およそチューブの巾から指の巾をひいた長さより短くしている。また、図示されていないが、ガイド軸８の保持部材４の無い方の軸端部にはガイドローラ９の抜け止め防止用のリングを取り付けると良い。前記のようにガイド５をガイド軸８とガイドローラ９で構成させることで、チューブとガイド間に発生する摩擦を少なくし、弾性の大きい素材でできたチューブでもスムースに送れるようにした。本実施例を使用する場合、図に示される状態のままのチューブ形状でチューブ７をチューブ絞り器に脱着する。また、チューブ７を絞るときは、チューブ７の充満部を指で挟んで絞り、チューブ７を送るときは、回転ローラ２部で、チューブ７のかぶさった回転ローラ２ごと指で挟みつつ回転させ送っていく。【００１９】  図７に示される実施例では、固定軸１と対向部材１０を間隔をあけて略平行になるように配設する。前記固定軸１は円柱状でありチューブの巾より若干長めにしてある。そして、固定軸１を支軸として回転できる回転ローラ２を設ける。前記固定軸１と円筒状の回転ローラ２とは固定軸１の外周と回転ローラ２の内周とで隙間ばめされ、回転ローラ２は固定軸１を軸心として回転できる。そして、固定軸１と対向部材１０の端部を保持部材４で固設する。また、図示されていないが、固定軸１の保持部材４の無い方の軸端部には回転ローラ２の抜け止め防止用のリングを取り付けると良い。また、前記対向部材１０は円柱できている。また、前記対向部材１０は回転ローラ２より（例えば約１０ｍｍ）短くなっている。そのように短くすることで、チューブ７を本チューブ絞り器に装着するときの、対向部材１０と回転ローラ２の間のチューブ７の挿入を容易にしている。そして、対向部材１０から固定軸１に向かう方向と略直交する方向に、回転ローラ２と対向配置されたガイド５を設ける。本実施例では、ガイド５を保持部材４より回転ローラ２の軸線方向に（例えば約１０ｍｍ）突設させている。つぎに、本実施例の使用方法を図７（１）から図７（３）で手順をおい説明する。まず図７（１）を参照にして、チューブ７と本チューブ絞り器を図示されたように持つ。そして、対向部材１０と回転ローラ２の間へ、チューブ７の先端部をガイド５の手前まで差し込む。左手はそのままに、チューブ７を右へ約９０度まわし回転ローラ２に巻きつける。そしてさらに、チューブ７の先端部を回転ローラ２とガイド５との間へ落とし込む。また、チューブ７の内容物がなくなり、チューブ７を本チューブ絞り器より取り外すときは前述した落とし込みの反対方向へ持ち上げる。つぎに図７（２）を参照にして、図のようにチューブ絞り器を持ち、指を上下させることによりチューブ７を絞る。つぎに図７（３）を参照にして、絞られたチューブ７が回転ローラ２で巻き取れるようになったら、図示されるように指で回転ローラ２とチューブ７をはさみながら、チューブ７が絞られていく方向に回転ローラ２をまわしチューブ７を送っていく。
【図面の簡単な説明】
【００２０】
【図１】チューブ絞り器の平面図
【図２】図１へガイドを追加したチューブ絞り器の平面図
【図３】図１へニガシ片を追加したチューブ絞り器の平面図
【図４】図２より絞り部材を除いたチューブ絞り器の平面図
【図５】（ａ）  実施例１の斜視図（ｂ）  （ａ）のＡ−Ａ断面図（ｃ）  （ａ）のＢ−Ｂ断面図（ｄ）  実施例１へチューブを加えた斜視図（１）  使用手順１を示す図（２）  使用手順２を示す図（３）  使用手順３を示す図（４）  使用手順４を示す図
【図６】実施例２の斜視図
【図７】（ａ）  実施例３の正面図（１）  使用手順１を示す図（２）  使用手順２を示す図（３）  使用手順３を示す図
【符号の説明】
【００２１】  １      固定軸
２      回転ローラ
３      絞り部材
４      保持部材
５      ガイド
６      ニガシ片
７      チューブ
８      ガイド軸
９      ガイドローラ
１０      対向部材
【図１】
2004161380.tif 000003
【図２】
2004161380.tif 000004
【図３】
2004161380.tif 000005
【図４】
2004161380.tif 000006
【図５】
2004161380.tif 000007
【図６】
2004161380.tif 000008
【図７】
2004161380.tif 000009